(57)【要約】【課題】磁力で貼り付けられる情報表示カードに搭載された無線タグを確実に読み取ることができ、かつ、利用目的に応じて柔軟な運用が可能な表示板と、その表示板を用いた情報表示システムとを提供する。【解決手段】磁石を備える情報表示カードが貼付される表示パネルの裏面に、無線タグと通信するための所定形状のアンテナパターンと１以上の磁石もしくは磁性体とを有し、かつ、取付け位置を調整可能な１以上のアンテナパネルを備え、前記情報表示タグにの磁石と前記アンテナパネルの磁石もしくは磁性体とが互いに吸引して前記情報表示カードが表示パネルに貼付されたとき、前記情報表示カードに搭載された無線タグのタグアンテナと前記アンテナパネルのアンテナパターンとが正対位置となるものとした。【選択図】図１
2011048707.tif 000002
【特許請求の範囲】
【請求項１】
可視情報を保持する表示シートと、ＩＣチップにタグアンテナが接続された無線タグと、磁石とを備える情報表示カードを、磁力によって複数吸着可能な表示板であって、
前記情報表示カードが貼付される表示パネルと、
前記表示パネルの裏面に、前記無線タグと通信するための所定形状のアンテナパターンとともに１以上の磁石及び／又は磁性体を有する１以上のアンテナパネルを備え、
前記情報表示カードの前記磁石と前記アンテナパネルの前記磁石及び／又は磁性体とが互いに吸引して前記情報表示カードが前記表示パネルに貼付されたとき、前記情報表示カードの前記タグアンテナと前記アンテナパネルの前記アンテナパターンとが正対位置となる
ことを特徴とする表示板。
【請求項２】
可視情報を保持する表示シートと、ＩＣチップにタグアンテナが接続された無線タグと、磁石とを備える情報表示カードを、磁力によって複数吸着可能な表示板であって、
前記情報表示カードが貼付される表示パネルと、
前記表示パネルの裏面に、磁性体パネルとを備え、
さらに、前記磁性体パネルの裏面に、前記無線タグと通信するための所定形状のアンテナパターンを搭載した１以上のアンテナパネルを備え、
前記磁性体パネルは、
前記アンテナパターンの前部に、所定値以上の開口率を有する開口部を有する
ことを特徴とする表示板。
【請求項３】
前記所定形状のアンテナパターンは、前記アンテパネルの長手方向に帯状に配設されるループアンテナである
ことを特徴とする請求項１又は２に記載の表示板。
【請求項４】
前記所定形状のアンテナパターンは、前記アンテパネルの長手方向に帯状に配設されるループアンテナが前記アンテナパネルの短手方向に複数段に亘って接続される
ことを特徴とする請求項１又は２に記載の表示板。
【請求項５】
前記アンテナパネルの前記表示パネルに対する取付け位置を調整可能な調整手段を備える
ことを特徴とする請求項１から４のいずれか一項に記載の表示板。
【請求項６】
前記アンテナパネルを、水平方向と垂直方向とに格子状に備える
ことを特徴とする請求項１から５のいずれか一項に記載の表示板。
【請求項７】
可視情報を保持する表示シートと、ＩＣチップにタグアンテナが接続された無線タグと、磁石とを備える
ことを特徴とする請求項１又は２に記載の表示板に吸着可能な情報表示カード。
【請求項８】
前記表示シートは、サーマルリライトシートであって、
前記表示シートに保持される可視情報は、前記サーマルリライトシートに書き換え可能に記録される
ことを特徴とする請求項７に記載の情報表示カード。
【請求項９】
２の前記無線タグと、２の前記表示シートとを備え、
前記２の無線タグ間に電磁波遮蔽手段を備え、
表面と裏面との両面に可視情報が保持される
ことを特徴とする請求項７又は８に記載の情報表示カード。
【請求項１０】
請求項１から６のいずれか一項に記載の１以上の表示板と、表示情報管理サーバとを有してなる情報表示システムであって、
前記表示板は、前記アンテナパネルと接続される無線タグリーダを備え、
前記無線タグリーダは、
前記表示板に吸着された前記情報表示カードから前記無線タグに記録された情報を読み取って、前記無線タグを検出した前記アンテナパネルに対応する検出領域の識別情報とともに前記表示情報管理サーバに送信し、
前記表示情報管理サーバは、
前記無線タグリーダから受信した前記無線タグに記録された情報と、前記検出領域の識別情報とを、前記情報表示カードの前記各表示板への吸着情報として記憶部に記憶し、
利用者端末からの要求に応じて、前記記憶部に記憶した前記吸着情報を、前記利用者端末の表示部に所定形式で画面表示させる
ことを特徴とする情報表示システム。
【請求項１１】
前記情報表示カードに対応して表示すべき可視情報と、前記情報表示カードに搭載された無線タグとの対応付けの情報の入力を受け付けて、その対応付けの情報を前記表示情報管理サーバに送信する表示カード発行端末をさらに備え、
前記表示情報管理サーバは、
前記表示カード発行端末から受信した前記対応付けの情報を前記記憶部にさらに記憶し、前記記憶部に記憶した前記対応付けの情報にもとづいて前記各情報表示カードに対応して表示すべき前記可視情報を含んで、前記利用者端末の表示部に画面表示させる
ことを特徴とする請求項１０に記載の情報表示システム。
【請求項１２】
前記無線タグは書換え可能なメモリを備え、
前記情報表示カードに対応して表示すべき可視情報を、前記情報表示カードに搭載された無線タグの前記メモリに書き込む表示カード発行端末をさらに備え、
前記無線タグリーダは、
前記無線タグの前記吸着情報とともに、前記メモリに記憶された前記可視情報を読み出して前記表示情報管理サーバに送信し、
前記表示情報管理サーバは、
前記記憶部に前記情報表示カードの前記各表示板への吸着位置とともに前記可視情報を記憶し、前記記憶部に記憶した前記可視情報を含んで、前記利用者端末の表示部に画面表示させる
ことを特徴とする請求項１０に記載の情報表示システム。
【発明の詳細な説明】
【技術分野】
【０００１】
本発明は、表示板に種々の情報表示カードを貼り付けることによって各種情報の管理を行う情報表示システムの技術に関する。
【背景技術】
【０００２】
従来、職場において個々の社員の所在を明らかとするために、ホワイトボードなどの行先表示板に、行先や帰着時間等を手書きしたり、在席と離席に対応して氏名掲示板の氏名札を裏返したりする方法が広く利用されている。又、これらの情報を電子データとして入力して管理するための情報表示システムの技術が提案されている。
【０００３】
例えば、特許文献１には、氏名や行先や帰着時刻が記入され非接触で情報の読取りが可能な無線タグを内蔵した情報表示カードを、鉄等の磁性体からなる行先表示板に磁力で貼り付け、それらのカードが貼り付けられた位置と読み取られた無線タグの情報とから、各人の予定を電子データとして入力して端末に表示する技術が開示されている。又、特許文献２には、情報表示部材の表面と裏面とのそれぞれに記入された情報を記録する２つの無線タグを搭載し、表示ボードに載置されたときに表向きになっている面に対応する無線タグの情報だけを読み取る技術が開示されている。
【０００４】
この特許文献２に開示された両面型の情報表示部材を、特許文献１に開示された行先表示板に適用することによって、情報表示カードの数を増やすことなしに入力可能な情報量をほぼ倍増することができ、各人が在席中か離席中かの区別を色分けして表示することなども可能となる。
【先行技術文献】
【特許文献】
【０００５】
【特許文献１】特開２００６−１１９１６８号公報
【特許文献２】特開２００７−２５７５３８号公報
【発明の概要】
【発明が解決しようとする課題】
【０００６】
しかしながら、特許文献１に開示されている行先表示板では、情報表示カードに内蔵される無線タグと通信するためのリーダエリアを生成するリーダアンテナを、鉄等の金属の表面に配置することとなるため、金属の表面に発生する渦電流の影響によって、無線タグが読み取れなくなるという問題があるが、その解決策が提示されていない。又、行先表示板のリーダエリアは行数と列数とに依存した固定的な配置となるため、情報表示カードの大きさを変えたり行数や列数を変更したりするには、その都度表示板を作り直さなければならないという問題もある。
【０００７】
本発明は、前記の問題を解決するためになされたものであり、磁力で貼り付けられる情報表示カードに搭載された無線タグを確実に読み取ることができ、かつ、利用目的などに応じて柔軟な運用が可能な表示板と、その表示板を用いた情報表示システムとを提供することを目的とする。
【課題を解決するための手段】
【０００８】
前記の目的を達成するために、本発明では、可視情報を保持する表示シートと、ＩＣチップにタグアンテナが接続された無線タグと、磁石とを備える情報表示カードを、磁力によって複数吸着可能な表示板であって、前記情報表示カードが貼付される表示パネルと、前記表示パネルの裏面に、前記無線タグと通信するための所定形状のアンテナパターンとともに１以上の磁石及び／又は磁性体を有する１以上のアンテナパネルを備え、前記情報表示カードの前記磁石と前記アンテナパネルの前記磁石及び／又は磁性体とが互いに吸引して前記情報表示カードが前記表示パネルに貼付されたとき、前記情報表示カードの前記タグアンテナと前記アンテナパネルの前記アンテナパターンとが正対位置となることを特徴とする表示板を創作した。
【０００９】
又、前記表示パネルへの前記アンテナパネルの取付け位置を調整する調整手段を設けるとともに、前記アンテナパネル上への前記情報表示カードの貼付け順序や位置に関係なく、それぞれの前記アンテナパネルの単位で、貼り付けられているすべての前記情報表示カードを一括して読み取るようにした。
その他の解決手段については後記する。
【発明の効果】
【００１０】
本発明によれば、磁力で貼り付けられる情報表示カードに搭載された無線タグを確実に読み取ることができ、かつ、利用目的などに応じて柔軟な運用が可能な表示板と、その表示板を用いた情報表示システムとを提供することができる。
【図面の簡単な説明】
【００１１】
【図１】本発明に係る表示板の典型例を示す模式図である。
【図２】アンテナパネルの構造とその取付け位置調整機構の模式図である。
【図３】両面式の表示カードの構造例を示す模式図である。
【図４】両面式の表示カードの内部構造例を示す模式図である。
【図５】近傍型無線タグインレットの一般的な構造を示す模式図である。
【図６】両面式の表示カードの断面構造についての説明図である。
【図７】アンテナパネルと表示カードとの磁石の配置についての説明図である。
【図８】アンテナパネルの前面に磁性体パネルを設置するときの構造の説明図である。
【図９】磁性体パネルへの開口部の配置例を示す説明図である。
【図１０】磁性体パネルの開口率を向上させるための穿孔パターンの例である。
【図１１】磁性体パネルの開口率を向上させるための他の穿孔パターンの例である。
【図１２】無線タグリーダのアンテナ切替え動作についての説明図である。
【図１３】本発明に係る表示板を適用した情報表示システムの全体構成例を示すブロック図である。
【図１４】行先表示板の構成及び表示カードの貼付例である。
【図１５】表示情報管理サーバの機能構成例を示すブロック図である。
【図１６】カード情報登録テーブルの構造及びデータ例である。
【図１７】カード検出状態テーブルの構造及びデータ例である。
【図１８】表示情報定義テーブルの構造及びデータ例である。
【図１９】表示情報管理サーバの動作を示すフローチャートである。
【図２０】利用者端末における行先表示板の画面表示例である。
【図２１】行先表示板の他の構成及び表示カードの貼付例である。
【図２２】アンテナパターンを多段に配置したアンテナパネルの構造とその取付け位置調整機構の模式図である。
【図２３】作業表示板の構成及び表示カードの貼付例である。
【図２４】作業進捗板の構成及び表示カードの貼付例である。
【図２５】積込み作業指示板の構成及び表示カードの貼付例である。
【図２６】積込み作業指示板の他の構成及び表示カードの貼付例である。
【図２７】格子アンテナパネルの構成例を示す模式図である。
【発明を実施するための形態】
【００１２】
以下、本発明を実施するための好適な形態につき、適宜図面を参照しつつ詳細に説明する。
まず始めに、図１を参照して本発明に係る表示板の基本的な構造について説明する。図１は、本発明に係る表示板の典型例を示す模式図であり、（ａ）は表示板の正面図、（ｂ）はそのＡ−Ａ矢視断面図、（ｃ）がその一部を部分拡大したものである。
【００１３】
図１（ａ）及び（ｂ）に示すように、表示板１は、フレーム１２によって保持される表示パネル１１と裏カバー１４との間に、無線タグリーダ１５に接続される１以上のアンテナパネル１３を内蔵する。各アンテナパネル１３は、その取付け位置を上下に調整可能となっており、利用目的に応じて取付け位置や取付け枚数を選択することができる。表示パネル１１の前面に貼付される情報表示カード（以下、「表示カード」と略記。）６に搭載される無線タグは、タグアンテナ６８によって、無線タグリーダ１５からアンテナケーブル１３４を介して各アンテナパネル１３上に配設されるアンテナパターン１３１に出力される電磁波から動作に必要な電力の供給を受け、無線タグリーダ１５と通信を行う。
【００１４】
又、各表示カード６には、帯状のゴム磁石６４が搭載され、表示パネル１１を挟んで各アンテナパネル１３に搭載されたゴム磁石１３２とゴム磁石６４とが互いに吸引し合って、表示パネル１１に吸着されるようになっている。このとき、図１（ｃ）のように、ゴム磁石１３２とゴム磁石６４とを、極性が逆向きの２極の帯状磁石によって構成すると、Ｎ極とＳ極とが吸引し合い、Ｎ極同士やＳ極同士は反発し合うので、両者がほぼ正対して大きな吸着力が働く位置に各表示カード６を吸着し易く、表示カード６の吸着位置の調整機能を持たせることができる。
【００１５】
さらにそのとき、各アンテナパネル１３に搭載されたアンテナパターン１３１と各表示カード６に搭載された無線タグのタグアンテナ６８とが正対する位置に両者を配置することによって、両者の間で交換される電磁波の強度を大きくして、好適な通信条件を実現することができる。
【００１６】
又、各表示カード６に搭載される無線タグは、アンテナパターン１３１の長手方向中心線付近に対向して貼り付けられている場合だけに読み取られ、他のアンテナパネル１３からは検出されないようにするのが好ましい。そのためには、電磁誘導方式で通信を行う１３．５６ＭＨｚ帯のいわゆる近傍型無線タグを利用し、無線タグリーダ１５の最大読取距離を１〜５ｃｍ程度に調整するとよい。ＵＨＦ（Ultra High Frequency）帯無線タグのように最大読取距離がもっと大きい無線タグを用いる場合には、無線タグリーダ１５の出力電力を通常よりも小さくするとともに、各アンテナパネル１３間には電磁波を遮蔽するための遮蔽板を設置するのが好ましい。
【００１７】
なお、図１（ａ）の例では、各表示カード６は各アンテナパネル１３上に３枚ずつ等間隔で配置されているが、アンテナパターン１３１の長手方向中心線付近であれば、各表示カード６はどのような間隔で配置してもよい。
【００１８】
図２はアンテナパネルの構造とその取付け位置調整機構の模式図である。図２に示すように、アンテナパネル１３には、例えば、左フレーム１２Ｌ及び右フレーム１２Ｒに所定のピッチで設けられている挿通孔１６に挿通して係止するための係止ピン１３３が四隅に備えられ、その取付け位置が上下に調整可能となっている。
【００１９】
アンテナパネル１３の前面の長手方向中心線付近には、アンテナケーブル１３４によって無線タグリーダ１５に接続される、例えば銅又はアルミ箔よりなるアンテナパターン１３１が配設される。又、図２の例では、アンテナパネル１３の前面の上下端部に１対の帯状のゴム磁石１３２が備えられている。
【００２０】
図３は、両面式の表示カードの構造例を示す模式図である。表示カード６は、平板状に形成された保護材６２の表と裏との両面に２枚の表示シート６１を貼り合わせた構造となっている。表示シート（表）６１ａと表示シート（裏）６１ｂとには、目視にて認識可能な識別情報（可視情報）が記載され、又、必要に応じてシート色が選択される。表示シート６１としては、ホワイトボード用のシートを用い、専用ペンで識別情報を手書きするようにしてもよいし、例えば、サーモクロミック剤としてのロイコ染料と顕色剤とを含んで形成されるサーマルリライトシートを用い、サーマルリライトプリンタで識別情報を印字するようにしてもよい。あるいは、フォトクロミックシートやエレクトロクロミックシートを用いてもよい。
【００２１】
図４は、両面式の表示カードの内部構造例を示す模式図である。図４に示すように、表示カード６のそれぞれの表示シート６１の裏面には、タグアンテナ６８を含む無線タグインレットと帯状の１対のゴム磁石６４とが保護材６２に埋め込まれている。
【００２２】
図５は、近傍型無線タグインレットの一般的な構造を示す模式図である。図５に示すように、無線タグインレット６３には、ＩＣチップ６７とそれに接続されたタグアンテナ６８とが搭載される。
【００２３】
図６は両面式の表示カードの断面構造についての説明図であり、図４のＡ−Ａ矢視断面を示している。図６に示すように、表示カード６の中央部付近には、表示シート（表）６１ａと表示シート（裏）６１ｂとの間に、ＩＣチップ（表）６７ａが搭載された無線タグインレット６３ａ、磁性体層６６、導体層６５、磁性体層６６、ＩＣチップ（裏）６７ｂが搭載された無線タグインレット６３ｂ、の５つの層がこの順に積層される。例えばアルミ箔からなる導体層６５及びフェライト粉末を含む絶縁性樹脂シートからなる２つの磁性体層６６によって電磁波が双方向とも遮蔽されるので、表示カード６が表示パネル１１に貼り付けられたときには、貼り付けられた面に近い側、つまり表示カード６の可視情報が目視できるシート面とは反対側のＩＣチップ６７だけが電力の供給を受け、動作が可能となる。
【００２４】
したがって、表示シート（表）６１ａに記載される情報がＩＣチップ（裏）６７ｂに、表示シート（裏）６１ｂに記載される情報がＩＣチップ（表）６７ａにそれぞれ対応付けられる。又、表示カード６の表側と裏側との周辺部のそれぞれに埋め込まれる上下１対のゴム磁石６４は、表示カード６がどの方向に表示パネル１１に貼付されても極性が同じになるように、例えば外側がＮ極、内側がＳ極となるような２極の帯状磁石によって構成される（図４参照）。
【００２５】
図７は、アンテナパネルと表示カードとの磁石の配置についての説明図である。なお、図７では、表示カード６の内部構造を一部簡略化している。図７に示すように、表示カード６に備えられる上下１対のゴム磁石６４間の間隔と、アンテナパネル１３に備えられる上下１対のゴム磁石１３２間の間隔とが等しく、極性が逆となるように配置することによって、双方のゴム磁石６４と１３２とが引き合って表示カード６が表示パネル１１に吸着したときに、アンテナパネル１３のアンテナパターン１３１と表示カード６の吸着面側のタグアンテナ６８とが、丁度正対するようにすることができ、良好なる無線通信の実現が可能となる。
【００２６】
又、表示カード６の吸着位置の調整機能はやや劣るが、アンテナパネル１３のゴム磁石１３２に代えて鉄などの磁性体からなる同一形状の部材を備えるようにしてもよい。その場合には、ゴム磁石６４の極性は任意となるので、図７に示すようにゴム磁石６４は表側と裏側とを一体化したものでもよい。
【００２７】
なお、前記の例では、ゴム磁石６４、１３２及びゴム磁石１３２に代わる磁性体は１対の帯状のものとしたが、必要な吸着力が得られるのであれば、その個数や形状は任意であり、例えば、表示カード６の四隅に小さな円形のフェライト磁石を備え、それらと吸引し合う４つの円形の磁性体部材をアンテナパネル１３に備えるようにしてもよいし、その一部又はすべてを表示カード６のフェライト磁石とは逆極性のフェライト磁石やゴム磁石としてもよい。
【００２８】
図８は、表示板の他の形態として、アンテナパネルの前面に磁性体パネルを設置するときの構造の説明図である。図８において、表示カード６の上下に備えられるゴム磁石６４は、鉄などの磁性体パネル１７に吸引されて表示パネル１１に吸着することになる。この場合、アンテナパネル１３のアンテナパターン１３１と表示カード６のタグアンテナ６８との間の通信に使用される電磁波が磁性体パネル１７によって過度に遮蔽されないように、磁性体パネル１７には所定値以上の開口率を有する開口部を設ける必要がある。
【００２９】
図９、図１０及び図１１は、磁性体パネルへの開口部の設定例を示したものである。図中の斜線を施した部分が開口部であり、破線で描かれた矩形は表示カード６のタグアンテナ６８の外周線を表している。図９の例では、タグアンテナ６８の長手方向サイズよりも大きい幅を有する開口部を備え、表示カード６のゴム磁石６４が磁性体パネル１７の非開口部に吸引されて表示パネル１１に吸着したときに、タグアンテナ６８の上辺及び下辺のパターンの双方が開口部の直下に来るように、開口部が設定されている。又、図１０及び図１１の例では、表示カード６の吸着位置の調整機能をもたず、タグアンテナ６８の位置に関わらずいずれも所定値以上の開口率となるように、磁性体パネル１７に穿孔が施されている。このような穿孔パターンを有する磁性体パネルを用いる場合には、表示カード６がアンテナパターン１３１にほぼ正対して貼付されるようにするために、表示パネル１１上に、表示カード６の貼付位置をガイドするような目印を付しておくことが好ましい。
【００３０】
次に、表示板１における表示カード６の読取り動作について説明する。図１２は、表示板１に備える無線タグリーダ１５の読取り動作を説明するための模式図である。図１２に示すように、無線タグリーダ１５は、リーダ制御部１５１とアンテナ切替器１５２とから構成される。リーダ制御部１５１は、不図示のＣＰＵ（Central Processing Unit）によって実行されるプログラムによってその動作が制御される。アンテナ切替器１５２は、リーダ制御部１５１からの指示にしたがって、各アンテナパネル１３上に配設されるアンテナパターン１３１（図１参照）によって構成される各ループアンテナ１５３とリーダ制御部１５１との接続を一定時間毎（例えば、１秒毎）に切り替える。それにより、リーダ制御部１５１は、各アンテナパネル１３の単位で、サイクリックに無線タグの読取りを実行し、読み取った無線タグの情報をＬＡＮを経由してサーバなどに逐次送信する。
【００３１】
なお、同一のループアンテナ１５３上に同時に複数の無線タグが存在すると、無線タグ間での信号の衝突が発生するため、標準的なアンチコリジョン方式であるバイナリツリー方式やアロハ方式やタイムスロット方式などを利用するのが好ましい。
【００３２】
続いて、本発明に係る表示板の適用例について説明する。
図１３は、本発明に係る表示板を適用した情報表示システムの全体構成例を示すブロック図である。情報表示システムＳは、表示板１と表示カード発行端末２と利用者端末３と表示情報管理サーバ４とがＬＡＮ（Local Area Network）５に接続されて構成されている。なお、ＬＡＮ５は有線、無線のいずれであってもよい。
【００３３】
表示カード発行端末２は、表示板１に貼付される表示カード６とそれに対応して表示すべき表示データとの対応付けを行うための端末である。この表示カード発行端末２において前以て入力されたこれら対応付けの情報は、各表示カード６に搭載されている無線タグの識別情報とともにＬＡＮ５を経由して表示情報管理サーバ４に送信されるか、あるいは、当該無線タグに直接記録される。
【００３４】
表示情報管理サーバ４は、各表示板１における無線タグの検出情報を収集して記憶部に記憶し、利用者端末３からの要求に応じて、記憶部に記憶したそれらの情報を、利用者端末３の表示部に所定形式で画面表示させる。
【００３５】
図１４は、８行×４列の行先表示板の使用例を示した模式図であり、以下、この行先表示板１ａを例にとって情報表示システムＳの動作を詳しく説明する。
【００３６】
図１４に示した行先表示板１ａは、８名のメンバによって構成される「グループ１」の各メンバの行先を明示するために事務所の壁などに設置される表示板の例である。それぞれの行は各メンバに対応しており、表示カード６として、１列目には氏名カードが、２列目には行先カードが、３列目には帰着予定カードが、４列目には目的カードが、それぞれ貼り付けられるものとする。
【００３７】
氏名カードには、表と裏との両面にメンバ各人の名前が記載され、表側が白色、裏側が赤色になっており、出勤時には氏名カードを表側が見えるように貼り付け、退勤時又は外出して直帰するときに氏名カードの裏側が見えるように貼り付けることで、当日の出社予定の有無をカードの色によってひと目で識別できるように運用が行われるものとする。
【００３８】
行先カードとしては、当該グループのメンバの行先として設定された各行先が記載されたカードが、それぞれ複数用意され、例えば、社外の行先には赤色の、社内の行先には白色のカードが使用される。帰着予定カードとしては、帰着予定時刻や時間帯などが記載された複数のカードが用意され、目的カードとしては、離席の目的が記載された複数のカードが用意される。各メンバは、離席時には、行先、帰着予定、目的に応じて、不図示のカード置き場に置かれたこれら３種類のカードの中から各１枚ずつを選んで自身の氏名カードが貼り付けられている行内の所定の列に貼り付け、帰着時にはそれらのカードを取り外してカード置き場に戻すものとする。
【００３９】
図１４に示した例では、「佐藤」さんは「ＸＸ社」に営業目的で出かけていて午後に戻る予定となっており、「鈴木」さんは社内の「会議室Ａ」で打合せを行っていて１５：００に戻る予定となっている。又、氏名カードが赤色表示（図は網掛け表示）となっている２名のうち、「山田」さんは休みで、「加藤」さんは「ＹＹ社」に納品目的で出かけて今日は会社には戻らず直帰の予定となっている。又、「遠藤」さん、「三田」さん、「斉藤」さんの３名も離席中であり、現在は「工藤」さんだけが在席している状況を表している。
【００４０】
図１５は、表示情報管理サーバ４の機能構成例を示すブロック図である。図１５に示すように、表示情報管理サーバ４は、制御部４１と記憶部４２とを備えるコンピュータであり、不図示のＣＰＵが不図示のプログラムを実行することによって、これら各機能が具現化される。
【００４１】
制御部４１は、表示カード登録部４１１、表示カード検出部４１２、情報表示サービス部４１３、通信部４１４の各処理機能を備えて構成され、記憶部４２は、カード情報登録テーブル４２１、カード検出状態テーブル４２２、カード検出履歴テーブル４２３、表示情報定義テーブル４２４の各データ記憶機能を備えて構成される。
【００４２】
図１５の表示カード登録部４１１は、表示カード発行端末２から送信される無線タグの識別情報とそれに対応して表示すべき表示データとの対応付けの情報を、カード情報登録テーブル４２１に記憶させる。
【００４３】
図１６は、カード情報登録テーブル４２１の構造及びデータ例である。図１６に示すように、カード情報登録テーブル４２１には、無線タグの識別情報を記憶する「タグＩＤ」欄と、表示カード６の種別を記憶する「種別」欄と、対応付けられる表示データを記憶する「表示データ」欄と、可視情報が記載されるシート色を記憶する「シート色」欄とから構成されるレコードが、発行済みの表示カード６の数だけ登録される。
【００４４】
例えば、図１６の１番目のレコードは、無線タグの識別情報「１ＸＸＸ００１」が、「鈴木」さんの氏名カードの表側に対応し、２番目のレコードは、同じく識別情報「１ＸＸＸ００２」が、「鈴木」さんの氏名カードの裏側に対応する場合のデータ登録例である。
【００４５】
図１５の表示カード検出部４１２は、各表示板１の無線タグリーダ１５から送信される無線タグの検出情報を、カード検出状態テーブル４２２及びカード検出履歴テーブル４２３に記憶させる。
【００４６】
図１７は、カード検出状態テーブル４２２の構造及びデータ例である。図１７に示すように、カード検出状態テーブル４２２には、表示板１の識別情報を記憶する「表示板ＩＤ」欄と、各アンテナパネル１３に対応する検出領域の識別情報を記憶する「検出領域ＩＤ」欄と、検出された無線タグの識別情報を記憶する「タグＩＤ」欄と、その無線タグの最初の検出日時を記憶する「検出日時」欄とから構成されるレコードが、すべての表示板１からなる検出領域の総数だけ登録される。
【００４７】
各無線タグリーダは１５は、無線タグの検出情報を表示情報管理サーバ４に送信するとき、自身が設置されている表示板１の識別情報と、各無線タグを検出したループアンテナ１５３（アンテナパネル１３に対応）によって構成される検出領域の識別情報とを、無線タグの識別情報とともに送信し、表示カード検出部４１２は、それら送信された情報を受信日時とともにカード検出履歴テーブル４２３に追加して登録するとともに、無線ＩＣタグの検出状態に変化があったときのみそれをカード検出状態テーブル４２２に反映させる。
【００４８】
例えば、図１７の１〜３番目のレコードは、表示板「Ｂ００１」の検出領域「０１」では、現在タグＩＤ「１ＸＸＸＸＸＸ」、「２ＸＸＸＸＸＸ」、「３ＸＸＸＸＸＸ」の３つの無線タグが検出されており、１つ目のタグは０８：４２から、２つ目と３つ目のタグは９：２５から検出されている場合のデータ登録例である。
【００４９】
図１５の情報表示サービス部４１３は、このようにしてカード検出状態テーブル４２２に登録された各表示板１における無線タグ、すなわち、表示カード６の検出状況を、表示情報定義テーブル４２４に記憶されている表示形式にしたがい、利用者端末３からの要求に応じて利用者端末３のディスプレイなどに画面表示させる。
【００５０】
図１８は、表示情報定義テーブルの構造及びデータ例である。図１８に示すように、表示情報定義テーブル４２４には、表示板１の識別情報を記憶する「表示板ＩＤ」欄と、画面に表示する表示板名称を記憶する「表示板名称」欄と、それぞれ表示板１の領域数（行数）と列数とを記憶する「領域数」欄及び「列数」欄と、表示板の列数に応じた数のカード種別と見出しとを記憶する「種別」欄と「見出し」欄の繰返しとから構成されるレコードが、定義された表示形式の数だけ登録される。
【００５１】
例えば、図１８の１番目のレコードは、図１４に例示した行先表示板１ａに貼付されている表示カード６の情報を、図２０に示した画面のように、ほぼ同様な形式で利用者端末３のディスプレイに表示させるためのデータ登録例である。なお、図２０に示した画面の上部には、表示情報管理サーバ４が行先表示板１ａから最後に表示カードの検出情報を受信した日時が表示されている。
【００５２】
図１５の通信部４１４は、ＬＡＮ５を経由して、各表示板１の無線タグリーダ１５、表示カード発行端末２、利用者端末３との間で各種情報の送受信を実行する。
【００５３】
次に、表示情報管理サーバ４の動作について説明する。図１９は、表示情報管理サーバの動作を示すフローチャートである。
【００５４】
表示情報管理サーバ４は、まず始めに、ステップＳ１にて、表示カード発行端末２からの登録要求があるか否かを判定し、登録要求がなければステップＳ３に処理を進め、登録要求があればステップＳ２にて表示カード登録部４１１に要求された登録内容をカード情報登録テーブル４２１に記憶させる。
【００５５】
続いてステップＳ３にて、利用者端末３からの表示要求があるか否かを判定し、表示要求がなければステップＳ５に処理を進め、表示要求があればステップＳ４にて情報表示サービス部４１３に要求された表示情報を編集・送信させて利用者端末３のディスプレイに画面表示させる。
【００５６】
次にステップＳ５にて、所定の時間（例えば１分）が経過して表示カード６を検出すべき次の検出時刻になったか否かを判定し、次の検出時刻になっていなければステップＳ１に処理を戻し、次の検出時刻になったらステップＳ６にて表示カード検出部４１２にすべての表示板１に貼り付けられている表示カード６の位置を検出してカード検出状態テーブル４２２に登録させたのちにステップＳ１に処理を戻して、以後上記の処理を繰り返す。
【００５７】
なお、以上説明した情報表示システムＳでは、無線タグと表示カード６との対応付けの情報を表示情報管理サーバ４に記憶するものとしたが、書換え可能なメモリ内蔵の無線タグを利用し、各無線タグに表示カード６に対応して表示すべき表示データを記憶させ、無線タグリーダ１５でそれらの情報を読み取って表示情報管理サーバ４に送信するようにしてもよい。又、表示板１は、垂直方向に複数枚のアンテナパネル１３を内蔵するものとしたが、垂直方向にアンテナパターンを配設した縦長のアンテナパネルを水平方向に複数枚内蔵するようにしてもよい。
【００５８】
以上説明したように、本発明に係る情報表示システムによれば、表示板に情報表示タグを貼り付けるという単純な操作によって必要な情報を入力し、それらの情報を他の利用者にも同様な形式で提供できるという顕著な効果が達成される。しかも、表示板のレイアウトが、アンテナパネルの位置の調整や増設によって容易に変更可能なため、多様な利用目的に活用することができる。
【００５９】
＜変形例１＞
図２１は、行先表示板の他の構成及び表示カードの貼付例である。又、図２２は、アンテナパターンを多段に配置したアンテナパネルの構造とその取付け位置調整機構の模式図である。
【００６０】
図１４に例示した行先表示板１ａは、水平方向に並べて貼付された表示カードを１行分だけ一括して読み取るものであったが、図２１に例示する行先表示板１ｂのように、複数段に亙って貼り付けられた表示カードを一括して読み取るようにしてもよい。その場合には、図２２に示すように、アンテナパネル１３ａにアンテナパターン１３１を複数段に亙って配設するようにするとよい。なお、ゴム磁石１３２又はそれと同形状の磁性体部材を各段の中間にも備えることにより、前記と同様な表示カードの貼付け位置調整機能をもたせるのが好ましい。
【００６１】
又、図１４に例示した行先表示板１ａは、一括して読み取られる同一の行内には、同種の表示カードは１枚しか存在しなかったが、図２１に例示する行先表示板１ｂのように、一括読み取られる領域内に同種の表示カードを２枚以上貼り付けられるようにしてもよい。
【００６２】
＜変形例２＞
図２３は、作業表示板の構成及び表示カードの貼付例である。
図２３に例示した作業表示板１ｃは、表示カード６として、例えば、表側が白色で裏側が赤色の作業番号カードを用いることにより、グループ各人への作業の割当てを行うとともに、作業の進捗管理を行う目的で利用するものである。
【００６３】
作業表示板１ｃには、１列目に氏名カードが、２列目に現在実行中の作業の作業番号カード（白色）が、３列目に次に実行すべき作業の作業番号カード（赤色）が貼り付けられており、新たにこのグループに割り振られた作業の作業番号カード（表が白色で裏が赤色）が配送されると、作業の割当て責任者はこの作業表示板１ｃの３列目が空いているところに作業番号カードを赤色を表にして貼り付けることによって各メンバへの作業を割り当てる。一方、各メンバは、現在実行中の作業が完了すると、自身の行の２列目から完了した作業番号カード（白色）を取り外したのち、３列目の作業番号カードを裏返して（白色を表にして）２列目に貼り付ける。
【００６４】
それにより、表示情報管理サーバ４は、各作業のメンバへの割当て、作業の開始時刻、作業の完了時刻などの情報を収集し、図１８の２番目のレコードを参照して利用者端末３のディスプレイに作業表示板１ｃとほぼ同様な画面（不図示）を表示する。
【００６５】
＜変形例３＞
図２４は、作業進捗板の構成及び表示カードの貼付例である。
図２４に例示した作業進捗板１ｄは、表示カード６として、例えば、表側が白色で裏側が赤色の作業状態カードを用いることにより、グループ別の作業の進捗状況を明示する目的で利用するものである。
【００６６】
作業表示板１ｄには、１列目にグループ名カードが、２列目にグループの作業状態を示す作業状態カードが、３列目に実行中の作業の作業番号カードが貼り付けられており、新たな作業番号カードが発行されると、作業の割当て責任者はこの作業表示板１ｄの２列目の作業状態カードが「完了」（赤色）となっているグループを選んで、その作業状態カードと３列目の作業番号カードとを取り外して、新たな作業番号カードを３列目に貼り付けることによって各グループへの作業を割り当てる。一方、各グループは、割り当てられた作業を開始した時点で２列目に作業状態カードを「着手」（白色）を表にして貼り付け、作業を完了すると、その作業状態カードを「完了」（赤色）に裏返す。
【００６７】
それにより、表示情報管理サーバ４は、各グループへの作業の割当て、作業の開始時刻、作業の完了時刻などの情報を収集し、図１８の３番目のレコードを参照して利用者端末３のディスプレイに作業表示板１ｄとほぼ同様な画面（不図示）を表示する。
【００６８】
＜変形例４＞
図２５は、積込み作業指示板の構成及び表示カードの貼付例である。
図２５に例示した積込み作業指示板１ｅは、表示カード６として、荷番カードを用いることにより、荷物の積込み作業を指示する目的で利用するものである。
【００６９】
積込み作業表示板１ｅは、垂直方向にアンテナパターンを配設した縦長のアンテナパネルを水平方向に４枚内蔵しており、２行目に車両番号カードが、４行目に運転手の氏名カードが、５行目以降に荷番カードが、積込み作業指示の担当者によって貼り付けられる。各運転手は、例えば、この積込み作業指示板１ｅに貼り付けられている荷番カードを取り外して、該当する荷物を集荷して車両への積込みを行い、すべての荷物の積込みが完了した時点で車両番号カードと氏名カードとを取り外す。
【００７０】
それにより、表示情報管理サーバ４は、各車両の積込み作業の開始時刻、積込み作業の完了時刻などの情報を収集し、利用者端末３のディスプレイに作業表示板１ｅとほぼ同様な画面（不図示）を表示する。
【００７１】
＜変形例５＞
図２６は、積込み作業指示板の他の構成及び表示カードの貼付例である。
図２６に例示した積込み作業指示板１ｆは、表示カード６として、方面カードとグループ名カードと荷番カードを用いることにより、荷物の積込み作業を指示する目的で利用するものである。
【００７２】
積込み作業表示板１ｆは、図２１に示した行先表示板１ｂと同様に、図２２に示した多段形のアンテナパネル１３ａを垂直方向に４枚内蔵しており、対応する４つの領域には、それぞれ１枚の方面カード及びグループ名カードと、複数枚の荷番カードが、積込み作業指示の担当者によって貼り付けられる。各グループの車両の運転者は、例えば、自分が所属するグループのグループ名カードが貼り付けられている領域の方面カードによって車両の行先を把握するとともに、その領域の荷番カードを取り外して、該当する荷物を集荷して車両への積込みを行い、すべての荷物の積込みが完了した時点で方面カードとグループ名カードとを取り外す。
【００７３】
それにより、表示情報管理サーバ４は、各車両の積込み作業の開始時刻、積込み作業の完了時刻などの情報を収集し、利用者端末３のディスプレイに作業表示板１ｆとほぼ同様な画面（不図示）を表示する。
【００７４】
＜変形例６＞
以上に例示した表示板は、すべて水平方向又は垂直方向のいずれかの方向に貼り付けられた表示カード６を順序や位置に関係なく一括して読み取るものであったが、表示板上の表示カード６の貼付け位置を取得することによって、より多様な目的への利用が可能となる。そのためには、図２７に例示する格子アンテナパネル２０のように、水平方向のアンテナパネル１３Ｈと垂直方向のアンテナパネル１３Ｖとを格子状に配置し、各表示カード６を垂直、水平の両方向からそれぞれ読み取るようにすればよい。又、垂直方向のアンテナパネル１３Ｖの位置調整手段としては、例えば、図２７のように上下のガイドレール１８Ｕ、１８Ｌに嵌合するスライダ１９Ｕ、１９Ｌを備えるようにしてもよい。
【００７５】
以上にて、本発明の実施形態の説明を終えるが、本発明はこれに限定されるものではなく、ハードウエア構成や各種テーブルの構造などは、本発明の趣旨を逸脱しない範囲で適宜変更が可能である。
【符号の説明】
【００７６】
Ｓ    情報表示システム
１    表示板
１ａ，１ｂ  行先表示板
１ｃ  作業表示板
１ｄ  作業進捗板
１ｅ，１ｆ  積込み作業指示板
２    表示カード発行端末
３    利用者端末
４    表示情報管理サーバ
４１  制御部
４１１  表示カード登録部
４１２  表示カード検出部
４１３  情報表示サービス部
４１４  通信部
４２  記憶部
４２１  カード情報登録テーブル
４２２  カード検出状態テーブル
４２３  カード検出履歴テーブル
４２４  表示情報定義テーブル
５    ＬＡＮ
６    情報表示カード（表示カード）
６１，６１ａ，６１ｂ  表示シート
６２  保護材
６３  無線タグインレット
６４，１３２  ゴム磁石
６５  導体層
６６  磁性体層
６７，６７ａ，６７ｂ  ＩＣチップ
６８  タグアンテナ
１１  表示パネル
１２  フレーム
１３，１３Ｈ，１３Ｖ  アンテナパネル
１３１  アンテナパターン
１３３  係止ピン
１３４  アンテナケーブル
１４  裏カバー
１５  無線タグリーダ
１５１  リーダ制御部
１５２  アンテナ切替器
１５３  ループアンテナ
１６  挿通孔
１７  磁性体パネル
１８Ｕ，１８Ｌ  ガイドレール
１９Ｕ，１９Ｌ  スライダ
２０  格子アンテナパネル
【図１】
2011048707.tif 000003
【図２】
2011048707.tif 000004
【図３】
2011048707.tif 000005
【図４】
2011048707.tif 000006
【図５】
2011048707.tif 000007
【図６】
2011048707.tif 000008
【図７】
2011048707.tif 000009
【図８】
2011048707.tif 000010
【図９】
2011048707.tif 000011
【図１０】
2011048707.tif 000012
【図１１】
2011048707.tif 000013
【図１２】
2011048707.tif 000014
【図１３】
2011048707.tif 000015
【図１４】
2011048707.tif 000016
【図１５】
2011048707.tif 000017
【図１６】
2011048707.tif 000018
【図１７】
2011048707.tif 000019
【図１８】
2011048707.tif 000020
【図１９】
2011048707.tif 000021
【図２０】
2011048707.tif 000022
【図２１】
2011048707.tif 000023
【図２２】
2011048707.tif 000024
【図２３】
2011048707.tif 000025
【図２４】
2011048707.tif 000026
【図２５】
2011048707.tif 000027
【図２６】
2011048707.tif 000028
【図２７】
2011048707.tif 000029